(57)【要約】【課題】簡易な操作で画像編集の設定を実行可能な画像処理装置を提供する。【解決手段】画像処理装置は、表示手段と、スキャナにより取得される原稿画像の入力を受け付ける原稿画像受付部と、原稿画像受付部により受け付けた原稿画像のプレビュー画像を表示手段に所定方向に、順次移動させながら表示する表示制御部と、原稿画像受付部で受け付けた一連の原稿画像群であって、表示手段において移動するプレビュー画像に対応する原稿画像を含む原稿画像群に対して画像編集の操作を受け付ける操作受付部と、操作受付部により原稿画像群に対して受け付けた画像編集を実行する編集部とを備える。【選択図】図６
2013219758.tif 000002
【特許請求の範囲】
【請求項１】
表示手段と、
スキャナにより取得される原稿画像の入力を受け付ける原稿画像受付部と、
前記原稿画像受付部により受け付けた原稿画像のプレビュー画像を前記表示手段に所定方向に、順次移動させながら表示する表示制御部と、
前記原稿画像受付部で受け付けた一連の原稿画像群であって、前記表示手段において移動するプレビュー画像に対応する原稿画像を含む原稿画像群に対して画像編集の操作を受け付ける操作受付部と、
前記操作受付部により前記原稿画像群に対して受け付けた画像編集を実行する編集部とを備える、画像処理装置。
【請求項２】
前記操作受付部は、ユーザーにより前記表示手段において移動するプレビュー画像の移動を停止する操作が行われた場合、プレビュー画像の移動の停止と判定し、プレビュー画像の停止を受け付ける、請求項１記載の画像処理装置。
【請求項３】
前記表示制御部は、プレビュー画像の移動の停止を受け付けた場合に、前記表示手段において対応するプレビュー画像を停止して表示させ、
前記操作受付部は、停止したプレビュー画像に対して所定方向に移動する後続のプレビュー画像が重なった場合に、重なったプレビュー画像に対応する原稿画像群を集約する画像編集を受け付ける、請求項２記載の画像処理装置。
【請求項４】
前記表示制御部は、前記重なったプレビュー画像に対応する原稿画像群を集約する画像編集を受け付けた場合に、前記原稿画像群を集約したプレビュー画像を表示する、請求項３記載の画像処理装置。
【請求項５】
前記操作受付部は、ユーザーにより前記表示手段において表示されているプレビュー画像の移動の停止を解除する操作が行われた場合、プレビュー画像の停止の解除と判定して、プレビュー画像の停止の解除を受け付け、前記重なったプレビュー画像に対応する原稿画像群を集約する画像編集の受け付けを終了する、請求項３または４記載の画像処理装置。
【請求項６】
前記操作受付部は、プレビュー画像の停止の解除を受け付けた際に、前記集約を受け付けた原稿画像群におけるプレビュー画像の個数が奇数個である場合には、次のプレビュー画像あるいは空白画像に対応する原稿画像を受け付けた後に画像編集の受け付けを終了する、請求項５のいずれかに記載の画像処理装置。
【請求項７】
前記編集部は、前記集約を受け付けた原稿画像群におけるプレビュー画像の個数が所定個を超える場合には、記録用紙の表面に印刷するために前記重なったプレビュー画像に対応する原稿画像群のうちの所定個の原稿画像群について集約する画像編集を実行し、前記記録用紙の裏面に印刷するために前記重なったプレビュー画像に対応する原稿画像群のうち残りの原稿画像群に対して集約する画像編集を実行する、請求項３〜６のいずれかに記載の画像処理装置。
【請求項８】
前記操作受付部は、ユーザーにより原稿画像群に対応する画像形成後の記録用紙群に対して後処理編集を受け付ける操作が行われた場合、画像形成後の記録用紙群に対する後処理編集と判定し、画像形成後の記録用紙群に対する後処理編集を受け付ける、請求項３〜７のいずれかに記載の画像処理装置。
【請求項９】
前記操作受付部は、前記表示手段において所定方向に移動するプレビュー画像の進行を遮るユーザー操作を検知した場合に、プレビュー画像の移動の停止と判定する、請求項２〜８のいずれかに記載の画像処理装置。
【請求項１０】
前記操作受付部は、前記表示手段において移動するプレビュー画像を押さえるユーザー操作を検知した場合に、プレビュー画像の移動の停止と判定する、請求項２〜８のいずれかに記載の画像処理装置。
【請求項１１】
前記操作受付部は、前記表示手段において停止したプレビュー画像の位置を判断する位置判断部をさらに含み、
前記編集部は、前記位置判断部の判断結果に基づいて画像編集の内容を変更する、請求項２〜１０のいずれかに記載の画像処理装置。
【請求項１２】
前記画像編集は、集約する画像編集であり、
前記編集部は、記録用紙の表面と裏面との集約する画像編集を切り替える、請求項１１に記載の画像処理装置。
【請求項１３】
前記操作受付部は、前記表示手段において移動するプレビュー画像に対して画像編集を受け付けた状態において、プレビュー画像の前記所定方向とは反対方向にプレビュー画像を移動させる操作を受け付けた場合には、受け付けた画像編集をリセットする、請求項１〜１２のいずれかに記載の画像処理装置。
【請求項１４】
前記操作受付部は、ユーザーにより前記原稿画像受付部による原稿画像の入力を停止する操作が行われた場合、原稿画像の入力の停止と判定し、原稿画像の入力の停止を受け付ける、請求項１〜１３のいずれかに記載の画像処理装置。
【請求項１５】
前記操作受付部は、
前記表示手段において、接触する指の本数を検知する指検知部をさらに含み、
前記指検知部により検知された指の本数に応じて前記原稿画像群に対して集約する画像処理を受け付けたと判定し、前記原稿画像群に対して集約する画像処理を受け付ける、請求項１に記載の画像処理装置。
【請求項１６】
表示手段と、
スキャナにより取得される原稿画像の入力を受け付ける原稿画像受付部と、
前記原稿画像受付部により受け付けた原稿画像のプレビュー画像を前記表示手段に所定方向に、順次移動させながら表示する表示制御部と、
前記原稿画像受付部で受け付けた一連の原稿画像群であって、前記表示手段において移動するプレビュー画像に対応する原稿画像を含む原稿画像群に対して画像編集の操作を受け付ける操作受付部と、
前記操作受付部により前記原稿画像群に対応する画像形成後の記録用紙群に対して受け付けた後処理編集を実行するように後処理装置に出力する出力部とを備えるように構成される、画像処理装置。
【請求項１７】
表示手段を含む、画像処理装置の制御方法であって、
スキャナにより取得される原稿画像の入力を受け付けるステップと、
受け付けた原稿画像のプレビュー画像を前記表示手段に所定方向に、順次移動させながら表示するステップと、
受け付けた一連の原稿画像群であって、前記表示手段において移動するプレビュー画像に対応する原稿画像を含む原稿画像群に対して画像編集の操作を受け付けるステップと、
前記原稿画像群に対して受け付けた画像編集を実行するステップとを備える、画像処理装置の制御方法。
【請求項１８】
表示手段を含む、画像処理装置の制御方法であって、
スキャナにより取得される原稿画像の入力を受け付けるステップと、
受け付けた原稿画像のプレビュー画像を前記表示手段に所定方向に、順次移動させながら表示するステップと、
受け付けた一連の原稿画像群であって、前記表示手段において移動するプレビュー画像に対応する原稿画像を含む原稿画像群に対して画像編集の操作を受け付けるステップと、
前記原稿画像群に対応する画像形成後の記録用紙群に対して受け付けた後処理編集を実行するように後処理装置に出力するステップとを備える、画像処理装置の制御方法。
【請求項１９】
表示手段を含む、画像処理装置のコンピュータに実行させる制御プログラムであって、
前記制御プログラムは、前記コンピュータに、
スキャナにより取得される原稿画像の入力を受け付けるステップと、
受け付けた原稿画像のプレビュー画像を前記表示手段に所定方向に、順次移動させながら表示するステップと、
受け付けた一連の原稿画像群であって、前記表示手段において移動するプレビュー画像に対応する原稿画像を含む原稿画像群に対して画像編集の操作を受け付けるステップと、
前記原稿画像群に対して受け付けた画像編集を実行するステップとを備える、処理を実行させる。画像処理装置の制御プログラム。
【請求項２０】
表示手段を含む、画像処理装置のコンピュータに実行させる制御プログラムであって、
前記制御プログラムは、前記コンピュータに、
スキャナにより取得される原稿画像の入力を受け付けるステップと、
受け付けた原稿画像のプレビュー画像を前記表示手段に所定方向に、順次移動させながら表示するステップと、
受け付けた一連の原稿画像群であって、前記表示手段において移動するプレビュー画像に対応する原稿画像を含む原稿画像群に対して画像編集の操作を受け付けるステップと、
前記原稿画像群に対応する画像形成後の記録用紙群に対して受け付けた後処理編集を実行するように後処理装置に出力するステップとを備える、処理を実行させる、画像処理装置の制御プログラム。
【発明の詳細な説明】
【技術分野】
【０００１】
操作パネルを搭載する画像処理装置に関し、ある機能を実行するための操作の態様に関する。
【背景技術】
【０００２】
近年では、ＭＦＰ（Multi Function Peripheral）などの複合型画像処理装置が広く普及している。このＭＦＰは、コピー、ネットワークプリンティング、スキャナ、ＦＡＸ、またはドキュメントサーバーなどのＢＯＸ機能を集約した画像処理装置であり、複合機とも呼ばれる。
【０００３】
当該画像処理装置においては、通常、１つのジョブとして多数枚の画像編集を多なう場合、たとえば集約編集（Ｎｉｎ１）や両面印刷等が選択されると、ジョブ内での編集条件の切替はできない。
【０００４】
そのため想定した出力画像を得るために、予め原稿を分割した上で、分割した原稿毎に編集内容を変更する手順が取られていた。原稿の分割数が増えるほど、また、編集内容が複雑になるほど、事前準備に要する時間と手間が増え、ユーザーの利便性に欠けるという問題があった。
【０００５】
この点で、例えば、特開２０１０−３３１６号公報あるいは特開２００７−３０６２３６号公報においては、一旦全画像を読み込んだ上でパネル上に並べて表示し、画像を指定することで画像編集する構成が開示されている。また、特開２０１０−２２６４６６号公報においては、パネル上のサムネイル画像をタッチ＆トレースすることで、画像の回転、複製、変倍を行う構成が開示されている。
【先行技術文献】
【特許文献】
【０００６】
【特許文献１】特開２０１０−３３１６号公報
【特許文献２】特開２００７−３０６２３６号公報
【特許文献３】特開２０１０−２２６４６６号公報
【発明の概要】
【発明が解決しようとする課題】
【０００７】
しかしながら、上記文献では、全画像の読み込みが完了するまでは編集作業が行なうことができない、あるいは画像編集するためにパネル上をタッチ＆トレースする必要がある等、複雑な操作が必要であった。
【０００８】
本発明は、上記のような問題を解決するためになされたものであって、簡易な操作で画像編集の設定を実行可能な画像処理装置、画像処理装置の制御方法、および制御プログラムを提供することを目的とする。
【課題を解決するための手段】
【０００９】
ある局面に従う画像処理装置は、表示手段と、スキャナにより取得される原稿画像の入力を受け付ける原稿画像受付部と、原稿画像受付部により受け付けた原稿画像のプレビュー画像を表示手段に所定方向に、順次移動させながら表示する表示制御部と、原稿画像受付部で受け付けた一連の原稿画像群であって、表示手段において移動するプレビュー画像に対応する原稿画像を含む原稿画像群に対して画像編集の操作を受け付ける操作受付部と、操作受付部により原稿画像群に対して受け付けた画像編集を実行する編集部とを備える。
【００１０】
好ましくは、操作受付部は、ユーザーにより表示手段において移動するプレビュー画像の移動を停止する操作が行われた場合、プレビュー画像の移動の停止と判定し、プレビュー画像の停止を受け付ける。
【００１１】
特に、表示制御部は、プレビュー画像の移動の停止を受け付けた場合に、表示手段において対応するプレビュー画像を停止して表示させ、操作受付部は、停止したプレビュー画像に対して所定方向に移動する後続のプレビュー画像が重なった場合に、重なったプレビュー画像に対応する原稿画像群を集約する画像編集を受け付ける。
【００１２】
特に、表示制御部は、重なったプレビュー画像に対応する原稿画像群を集約する画像編集を受け付けた場合に、原稿画像群を集約したプレビュー画像を表示する。
【００１３】
特に、操作受付部は、ユーザーにより表示手段において表示されているプレビュー画像の移動の停止を解除する操作が行われた場合、プレビュー画像の停止の解除と判定して、プレビュー画像の停止の解除を受け付け、重なったプレビュー画像に対応する原稿画像群を集約する画像編集の受け付けを終了する。
【００１４】
特に、操作受付部は、プレビュー画像の停止の解除を受け付けた際に、集約を受け付けた原稿画像群におけるプレビュー画像の個数が奇数個である場合には、次のプレビュー画像あるいは空白画像に対応する原稿画像を受け付けた後に画像編集の受け付けを終了する。
【００１５】
特に、編集部は、集約を受け付けた原稿画像群におけるプレビュー画像の個数が所定個を超える場合には、記録用紙の表面に印刷するために重なったプレビュー画像に対応する原稿画像群のうちの所定個の原稿画像群について集約する画像編集を実行し、記録用紙の裏面に印刷するために重なったプレビュー画像に対応する原稿画像群のうち残りの原稿画像群に対して集約する画像編集を実行する。
【００１６】
特に、操作受付部は、ユーザーにより原稿画像群に対応する画像形成後の記録用紙群に対して後処理編集を受け付ける操作が行われた場合、画像形成後の記録用紙群に対する後処理編集と判定し、画像形成後の記録用紙群に対する後処理編集を受け付ける。
【００１７】
特に、操作受付部は、表示手段において所定方向に移動するプレビュー画像の進行を遮るユーザー操作を検知した場合に、プレビュー画像の移動の停止と判定する。
【００１８】
特に、操作受付部は、表示手段において移動するプレビュー画像を押さえるユーザー操作を検知した場合に、プレビュー画像の移動の停止と判定する。
【００１９】
特に、操作受付部は、表示手段において停止したプレビュー画像の位置を判断する位置判断部をさらに含み、編集部は、位置判断部の判断結果に基づいて画像編集の内容を変更する。
【００２０】
好ましくは、画像編集は、集約する画像編集であり、編集部は、記録用紙の表面と裏面との集約する画像編集を切り替える。
【００２１】
好ましくは、操作受付部は、表示手段において移動するプレビュー画像に対して画像編集を受け付けた状態において、プレビュー画像の所定方向とは反対方向にプレビュー画像を移動させる操作を受け付けた場合には、受け付けた画像編集をリセットする。
【００２２】
好ましくは、操作受付部は、ユーザーにより原稿画像受付部による原稿画像の入力を停止する操作が行われた場合、原稿画像の入力の停止と判定し、原稿画像の入力の停止を受け付ける。
【００２３】
好ましくは、操作受付部は、表示手段において、接触する指の本数を検知する指検知部をさらに含み、指検知部により検知された指の本数に応じて原稿画像群に対して集約する画像処理を受け付けたと判定し、原稿画像群に対して集約する画像処理を受け付ける。
【００２４】
別の局面に従う画像処理装置は、表示手段と、スキャナにより取得される原稿画像の入力を受け付ける原稿画像受付部と、原稿画像受付部により受け付けた原稿画像のプレビュー画像を表示手段に所定方向に、順次移動させながら表示する表示制御部と、原稿画像受付部で受け付けた一連の原稿画像群であって、表示手段において移動するプレビュー画像に対応する原稿画像を含む原稿画像群に対して画像編集の操作を受け付ける操作受付部と、操作受付部により原稿画像群に対応する画像形成後の記録用紙群に対して受け付けた後処理編集を実行するように後処理装置に出力する出力部とを備える。
【００２５】
ある局面に従う表示手段を含む、画像処理装置の制御方法であって、スキャナにより取得される原稿画像の入力を受け付けるステップと、受け付けた原稿画像のプレビュー画像を表示手段に所定方向に、順次移動させながら表示するステップと、受け付けた一連の原稿画像群であって、表示手段において移動するプレビュー画像に対応する原稿画像を含む原稿画像群に対して画像編集の操作を受け付けるステップと、原稿画像群に対して受け付けた画像編集を実行するステップとを備える。
【００２６】
別の局面に従う表示手段を含む、画像処理装置の制御方法であって、スキャナにより取得される原稿画像の入力を受け付けるステップと、受け付けた原稿画像のプレビュー画像を表示手段に所定方向に、順次移動させながら表示するステップと、受け付けた一連の原稿画像群であって、表示手段において移動するプレビュー画像に対応する原稿画像を含む原稿画像群に対して画像編集の操作を受け付けるステップと、原稿画像群に対応する画像形成後の記録用紙群に対して受け付けた後処理編集を実行するように後処理装置に出力するステップとを備える。
【００２７】
ある局面に従う表示手段を含む、画像処理装置のコンピュータに実行させる制御プログラムであって、制御プログラムは、コンピュータに、スキャナにより取得される原稿画像の入力を受け付けるステップと、受け付けた原稿画像のプレビュー画像を表示手段に所定方向に、順次移動させながら表示するステップと、受け付けた一連の原稿画像群であって、表示手段において移動するプレビュー画像に対応する原稿画像を含む原稿画像群に対して画像編集の操作を受け付けるステップと、原稿画像群に対して受け付けた画像編集を実行するステップとを備える、処理を実行させる。
【００２８】
別の局面に従う表示手段を含む、画像処理装置のコンピュータに実行させる制御プログラムであって、制御プログラムは、コンピュータに、スキャナにより取得される原稿画像の入力を受け付けるステップと、受け付けた原稿画像のプレビュー画像を表示手段に所定方向に、順次移動させながら表示するステップと、受け付けた一連の原稿画像群であって、表示手段において移動するプレビュー画像に対応する原稿画像を含む原稿画像群に対して画像編集の操作を受け付けるステップと、原稿画像群に対応する画像形成後の記録用紙群に対して受け付けた後処理編集を実行するように後処理装置に出力するステップとを備える、処理を実行させる。
【発明の効果】
【００２９】
簡易な操作で画像編集の設定を実行することが可能である。
【図面の簡単な説明】
【００３０】
【図１】本実施の形態に従う後処理装置（シート処理装置）ＦＳおよび画像形成装置ＰＡを備える画像形成システムの概略断面図である。
【図２】本実施の形態に従う画像形成装置ＰＡの概略ブロック図である。
【図３】本実施の形態に従う後処理装置ＦＳの概略ブロック図である。
【図４】本実施の形態に従う操作パネル１３の概観図である。
【図５】本実施の形態に従う表示部３１２上に設けられたタッチパネルの検出領域を説明する図である。
【図６】本実施の形態に従うメイン制御部１５０のＣＰＵ１５１において実現される機能ブロックを説明する図である。
【図７】本実施の形態に従う操作パネル１３における操作の態様（その１）について説明する図である。
【図８】本実施の形態に従う操作パネル１３における操作の態様（その２）について説明する図である。
【図９】本実施の形態に従う操作パネル１３における操作の態様（その３）について説明する図である。
【図１０】本実施の形態に従う操作パネル１３における操作の態様（その４）について説明する図である。
【図１１】本実施の形態に従う操作パネル１３における操作の態様（その５）について説明する図である。
【図１２】本実施の形態に従う操作パネル１３における操作の態様（その６）について説明する図である。
【図１３】本実施の形態に従う操作パネル１３における操作の態様（その７）について説明する図である。
【図１４】本実施の形態に従うサムネイル画像を説明する図である。
【図１５】本実施の形態に従う画像形成装置の全体の処理について説明するフロー図である。
【図１６】本実施の形態に従う編集モード受付処理について説明するフロー図である。
【図１７】本実施の形態に従うＮｉｎ１編集モードの処理について説明するフロー図である。
【図１８】本実施の形態に従う原稿集約（Ｎｉｎ１）の画像編集の受付処理のサブルーチン処理を説明するフロー図である。
【図１９】本実施の形態に従う画像入力停止モードの処理について説明するフロー図である。
【図２０】本実施の形態に従う詳細編集モードの処理を説明するフロー図である。
【図２１】本実施の形態に従う再編集モードの処理を説明するフロー図である。
【図２２】本実施の形態に従うステーブル編集モードの処理について説明するフロー図である。
【図２３】ステープル位置の判定処理について説明するフロー図である。
【図２４】本実施の形態の変形例に従う操作パネル１３における操作の態様について説明する図である。
【図２５】本実施の形態の変形例に従うステーブル編集モードの処理について説明するフロー図である。
【図２６】本実施の形態の変形例２に従う編集モード受付処理について説明するフロー図である。
【図２７】本実施の形態の変形例２に従うＮｉｎ１編集モードについて説明するフロー図である。
【発明を実施するための形態】
【００３１】
以下に図面を参照しつつ本発明の実施の形態について説明する。以下の説明においては同一の部品および構成要素には同一の符号を付してある。それらの名称および機能も同一であるものとする。
【００３２】
［１  画像形成システム］
［１．１  画像形成システムの全体構成］
図１は、本実施の形態に従う後処理装置（シート処理装置）ＦＳおよび画像形成装置ＰＡを備える画像形成システムの概略断面図である。
【００３３】
（画像形成装置ＰＡ）
画像形成装置ＰＡは、画像読取部１と、画像形成部４と、給紙カセット５と、給紙ローラー６と、定着装置７と、排紙ローラー８と、自動両面コピー給紙部９とを備えている。
【００３４】
画像形成装置ＰＡの上部には、自動原稿搬送装置１０が搭載されている。また、画像形成装置ＰＡの図示左側面の排紙ローラー８側には、後処理装置ＦＳが連結されている。自動原稿搬送装置１０の原稿台上に載置された原稿は、搬送路に沿って搬送される。そして、画像読取部１の光学系により原稿の片面又は両面の画像が走査され、ＣＣＤイメージセンサー１Ａに読み込まれる。
【００３５】
ＣＣＤイメージセンサー１Ａにより光電変換されたアナログ信号は、アナログ処理、Ａ／Ｄ変換、シェーディング補正、画像圧縮処理等を施された後、図示しない画像書込部に画像データが送られる。画像書込部において、半導体レーザーは、画像データに基づき発光駆動する。具体的には、画像形成部４の感光体ドラム４Ａに対して半導体レーザーが照射されて潜像が形成される。画像形成部４においては、帯電、露光、現像、転写、分離、クリーニング等の処理が行なわれ、感光体ドラム４Ａ上にトナー像が形成される。
【００３６】
給紙カセット５から給紙ローラー６により給送された記録用紙Ｓは、感光体ドラム４Ａに到達する。そして、転写手段４Ｂによりトナー像が記録用紙Ｓに転写される。トナー像を担持した記録用紙Ｓは、定着装置７により定着処理され、排紙ローラー８から後処理装置ＦＳに送り込まれる。両面コピーの場合には、片面画像処理済みの記録用紙Ｓは搬送路切り替え板８Ａにより自動両面コピー給紙部９に送り込まれる。そして、画像形成部４において裏面にトナー像が転写され、定着された後、排紙ローラー８から後処理装置ＦＳに送り込まれる。
【００３７】
（後処理装置ＦＳ）
後処理装置ＦＳは、パンチ処理を実行するパンチ処理部４０と、ステープル処理を実行するステープル処理部７１と、折り処理を実行する折り処理部７２とを有する。各処理の詳細については一般的な技術であるためその詳細についてはここでは説明しない。
【００３８】
画像形成装置ＰＡの排紙ローラー８から後処理装置ＦＳに送り込まれた画像形成後の記録用紙Ｓ（シートとも称する）は、後処理装置ＦＳ内部に搬送される。そして、必要に応じてパンチ処理部４０、ステープル処理部７１、折り処理部７２において指定された後処理を実行した後、排紙部８０から、後処理装置ＦＳの出口に設けられたエレベートトレイ８１に後処理されたシートＳが排出される。
【００３９】
エレベートトレイ８１は、排紙されるシートＳの最上面が常に一定した高さになるように図の鎖線で示すように下方に移動する。したがって、エレベートトレイ８１上には、数千枚のシートを集積することが可能である。
【００４０】
［１．２  画像形成装置ＰＡの機能］
図２は、本実施の形態に従う画像形成装置ＰＡの概略ブロック図である。
【００４１】
図２を参照して、画像形成装置ＰＡは、装置全体を制御するメイン制御部１５０と、スキャナ１と、画像形成部４と、自動原稿搬送装置（ＡＤＦ（Auto Document Feeder）とも称する）１０と、操作パネル１３と、音声出力部１４と、外部機器インターフェイス１５と、通信インターフェイス１６とを備える。なお、メイン制御部１５０は、スキャナ１からの画像データの入力を受けて画像処理して画像形成部４に出力する画像処理装置としても機能する。
【００４２】
メイン制御部１５０は、オペレーティングシステム（ＯＳ：Operating System）を含む各種プログラムを実行するためのＣＰＵ（Central Processing Unit）１５１と、ＣＰＵ１５１で実行されるプログラムが予め格納されたＲＯＭ（Read Only Memory）１５２と、ＣＰＵ１５１のプログラム部分の実行に必要なデータを一時的に記憶するＲＡＭ（Random Access Memory）１５３とを備える。
【００４３】
メイン制御部１５０は、ＡＤＦ１０に載荷された原稿から画像読取部１を用いて画像を読み取り、電子データ化する読取制御と、読み取られた画像に対して様々な画像処理を行なう画像処理制御と、画像処理された画像を図示しない画像書込部および画像形成部４を用いて既知の電子写真プロセスによってシートに形成する画像形成制御と、画像が形成されたシートを搬送する用紙給送制御とを実行する。
【００４４】
操作パネル１３は、表示部やタッチパネルを有しており、シートに施す後処理の種類の設定、その他の様々な機能の操作設定を行ない、また設定された機能の確認や種々の警告等を表示可能に構成されている。操作パネル１３には、後述するがたとえば、コピー枚数等を設定するテンキー、動作の開始を指示するスタートキー、動作の停止を指示するストップキー、各種設定条件を初期化するリセットキー等も設けられる。
【００４５】
操作パネル１３からメイン制御部１５０へは、ユーザーの操作に基づいて、後述するが画像編集あるいは後処理編集等の設定が入力される。
【００４６】
メイン制御部１５０は、例えば、後処理編集を実行するジョブについて通信インターフェイス１６を介して後処理装置ＦＳへ送信する。そして、当該送信された情報に基づいて、後処理装置ＦＳは、後処理編集を実行する。
【００４７】
音声出力部１４からは操作音や警告音、紙詰まり等のエラーが発生した場合のエラー音が出力される。外部機器インターフェイス１５には外部のネットワーク１７が接続される。これにより、ネットワーク上の他の機器と通信可能に構成されている。
【００４８】
なお、画像形成装置ＰＡは、複写（コピー）機能のほかに、画像データを取得するスキャン機能、および図示しないが外部のパソコン等の機器から画像データを受信し、印刷を行なうプリント機能、ファクシミリ送信が可能なＦＡＸ機能等を備えている。
【００４９】
［１．３  後処理装置ＦＳの機能］
図３は、本実施の形態に従う後処理装置ＦＳの概略ブロック図である。
【００５０】
図３を参照して、後処理装置ＦＳは、後処理装置ＦＳの全体を制御するフィニッシャー制御部２００と、画像形成装置ＰＡと情報の通信を行なうための通信インターフェイス８７とを備える。
【００５１】
フィニッシャー制御部２００は、オペレーティングシステムを含む各種プログラムを実行するためのＣＰＵ２０１と、ＣＰＵ２０１で実行されるプログラムが予め格納されたＲＯＭ２０２と、ＣＰＵ２０１のプログラム部分の実行に必要なデータ、および画像データを一時的に記憶するＲＡＭ２０３とを備える。ＲＡＭ２０３には、複数の画像データを格納することが可能であるものとする。
【００５２】
フィニッシャー制御部２００は、画像形成装置ＰＡから出力された後処理編集を実行するジョブに基づいて後処理装置ＦＳ内部における各部を制御する。
【００５３】
フィニッシャー制御部２００は、パンチ処理部４０、ステープル（綴じ）処理部７１、折り処理部７２等をそれぞれ制御する。
【００５４】
［１．４  操作パネルの構成］
図４は、本実施の形態に従う操作パネル１３の概観図である。
【００５５】
図４を参照して、本実施の形態に従う操作パネル１３は、表示部（ディスプレイ）３１２と、１０キー３０２と、スタートボタン３１０とを含む。なお、その他のキーについては省略している。
【００５６】
表示部３１２上にはタッチパネルが設けられており、表示部３１２上において所定の操作が可能である。１０キー３０２は、コピー等の枚数を入力するためのボタンである。スタートボタン３１０は、コピー／スキャン等の処理の実行を指示するボタンである。
【００５７】
また、表示部３１２には、各種モードの表示やその他の表示が行われる。そして、タッチパネルによって、表示内容に従った各種設定を行なうことができる。例えば、表示部３１２には、通常は、コピー動作やスキャン動作を実行する際に行なう基本的／応用的な設定のためのタブボタン３１４が配置されている。各タブボタンを押下すると、その詳細設定を行なうための階層画面が表示される。
【００５８】
また、本例の操作パネル１３においては、後述するが原稿をスキャンで読取った場合には、読取った画像データについてのプレビュー画像が一例として右から左にスクロール表示される。当該スクロール表示されるプレビュー画像に対して各種の操作指示の実行を可能としている。
【００５９】
図５は、本実施の形態に従う表示部３１２上に設けられたタッチパネルの検出領域を説明する図である。
【００６０】
図５を参照して、ここでは、タッチパネルの検出領域として５つの領域ＳＡ、ＳＢ、ＳＣ、ＳＤ１，ＳＤ２に分割されている場合が示されている。
【００６１】
具体的には、例えば、表示部３１２の上側左部にタッチした場合には、領域ＳＤ１において操作があったものと検出される。また、表示部３１２の上側右部にタッチした場合には領域ＳＤ２において操作があったものと検出される。また、表示部３１２の左側部をタッチした場合には、領域ＳＡにおいて操作があったものと検出される。また、表示部３１２の中央部をタッチした場合には、領域ＳＢにおいて操作があったものと検出される。また、表示部３１２の右側部をタッチした場合には、領域ＳＣにおいて操作があったものと検出される。
【００６２】
本例においては、複数の検出領域にそれぞれ対応して画像編集の設定が割り当てられているものとする。
【００６３】
［１．５  メイン制御部１５０の機能ブロック図］
図６は、本実施の形態に従うメイン制御部１５０のＣＰＵ１５１において実現される機能ブロックを説明する図である。
【００６４】
図６を参照して、メイン制御部１５０は、原稿画像受付部１６０と、記憶部１６１と、プレビュー画像生成部１６２と、画像編集部１６４と、表示制御部１６６と、操作受付部１６８とを含む。これらは、ＣＰＵ１５１がＲＯＭ２０２に格納されているプログラムに基づいて各部と協働して実現するものである。なお、これら以外にも必要に応じて各種の処理を実行するための機能ブロックが実現される。
【００６５】
操作受付部１６８は、操作パネル１３からの入力を受け付ける。具体的には、操作パネルのタッチパネルを介する入力指示を受け付ける。そして、受け付けた操作入力指示を表示制御部１６６および画像編集部１６４に出力する。また、操作受付部１６８は、操作パネル１３上の表示部３１２に表示されるプレビュー画像の表示状態に基づいて画像編集の設定をさらに受付ける。
【００６６】
原稿画像受付部１６０は、スキャナ１からの画像データの入力を受け付ける。そして、記憶部１６１に格納する。記憶部１６１は、ＲＡＭ１５３を用いて実現される。
【００６７】
プレビュー画像生成部１６２は、ＲＡＭ１５３に格納された画像データに基づいてプレビュー画像を生成する。プレビュー画像生成部１６２で生成したプレビュー画像は、表示制御部１６６に出力される。なお、ＲＡＭ１５３に画像データが格納されているため表示部３１２に表示されているプレビュー画像が消えた後も、再び、ＲＡＭ１５３に格納されている画像データを用いて再度、プレビュー画像を生成し、表示部３１２に表示することが可能である。また、プレビュー画像生成部１６２は、画像編集部１６４からの指示に従って画像編集されたプレビュー画像を生成する。
【００６８】
画像編集部１６４は、表示制御部１６６および操作受付部１６８からの指示に従って記憶部１６１に格納された画像データに基づいて画像編集を実行して画像形成部４に出力する。また、画像編集部１６４は、画像編集されたプレビュー画像を生成するようにプレビュー画像生成部１６２に指示する。
【００６９】
表示制御部１６６は、操作受付部１６８からの指示に従って操作画面を操作パネル１３の表示部３１２に表示したり、あるいは、プレビュー画像を操作パネル１３の表示部３１２に表示したりする。当該表示は、プレビュー画像のスクロール表示や、プレビュー画像の画像編集に従う表示等が含まれる。
【００７０】
［２．操作の態様の説明］
以下、具体的に操作パネル３１２で実行される操作の態様と画像編集との関係について説明する。
【００７１】
［２．１  操作パネルの操作の態様（その１）］
図７は、本実施の形態に従う操作パネル１３における操作の態様（その１）について説明する図である。
【００７２】
図７（Ａ）を参照して、ここでは、まず、スキャナ１において、原稿１ページ目（「Ａ」）を読み込んだ場合が示されている。スキャナ１において、１ページ目の原稿を読み込んだ場合、原稿画像受付部１６０は１ページ目の原稿の画像データを受け付ける。そして、プレビュー画像生成部１６２は、当該画像データのプレビュー画像を生成して、表示制御部１６６に出力する。そして、表示制御部１６６は、当該プレビュー画像の表示制御（スクロール表示）を実行する。本例においては、プレビュー画像が操作パネル１３の表示部３１２に表示されて右から左へスクロール表示される場合が示されている。
【００７３】
当該スクロール表示されるプレビュー画像に対して操作パネル１３のタッチパネルを介して所定の操作を実行することにより所定の画像編集の設定をすることが可能である。
【００７４】
なお、本例においては、操作パネル１３のタッチパネルに対してユーザーは何も操作しない場合が示されているものとする。すなわち、当該場合に、プレビュー画像は、右から左へスクロール移動して、表示部３１２からプレビュー画像が消える。表示制御部１６５は、プレビュー画像が表示部３１２から消えた後、画像編集部１６４にその旨を出力する。そして、画像編集部１６４は、画像データに対してノイズ除去等の通常の画像編集処理を実行して画像形成部４に出力する。そして、画像形成部４において記録用紙Ｓに対する印刷処理が実行される。
【００７５】
図７（Ｂ）を参照して、ここでは、スキャナ１において、原稿２ページ目（「Ｂ」）を読み込んだ場合が示されている。スキャナ１において、２ページ目の原稿を読み込んだ場合、上述したように原稿画像受付部１６０は２ページ目の原稿の画像データを受け付ける。そして、プレビュー画像生成部１６２は、プレビュー画像を生成して、表示制御部１６６に出力する。そして、表示制御部１６６は、プレビュー画像の表示制御（スクロール表示）を実行する。本例においては、プレビュー画像が操作パネル１３の表示部３１２に表示されて右から左へスクロール表示される場合が示されている。そして、ここでは、所定の操作態様として、操作パネル１３のタッチパネルの領域ＳＡにユーザーが手を置こうとしている場合（プレビュー画像の進行を遮る場合）が示されている。
【００７６】
図７（Ｃ）を参照して、本例においては、図７（Ｂ）の状態において、操作パネル１３のタッチパネルの領域ＳＡにユーザーが手を置いた場合が示されている。すなわち、この場合、領域ＳＡに対して接触が検知された状態である。領域ＳＡにユーザーが手を置くことにより原稿集約（Ｎｉｎ１）の画像編集の設定が受け付けられる。すなわち、操作受付部１６８は、原稿集約の画像編集の設定を受け付けてその旨を画像編集部１６４および表示制御部１６６に通知する。表示制御部１６６は、当該場合において、プレビュー画像をユーザーが手を置いた（接触した位置の）手前の領域（例えば領域ＳＢ）で停止させる。すなわち、プレビュー画像の進行を遮ることにより移動の停止と判定される。
【００７７】
図７（Ｄ）を参照して、次に、スキャナ１において、原稿３ページ目（「Ｃ」）を読み込んだ場合が示されている。スキャナ１において、３ページ目の原稿を読み込んだ場合、上述したように原稿画像受付部１６０は３ページ目の原稿の画像データを受け付ける。そして、プレビュー画像生成部１６２は、プレビュー画像を生成して、表示制御部１６６に出力する。表示制御部１６６は、プレビュー画像の表示制御（スクロール表示）を実行する。本例においては、プレビュー画像が操作パネル１３の表示部３１２に表示されて右から左へスクロール表示される場合が示されている。また、ここでは、上述したように、手を置いた手前で先の原稿２ページ目のプレビュー画像が停止した状態が示されている。３ページ目の原稿の画像データのプレビュー画像は、原稿２ページ目のプレビュー画像に重なるところまでスクロールする。
【００７８】
図７（Ｅ）を参照して、ここでは、原稿２ページ目のプレビュー画像（「Ｂ」）と原稿３ページ目のプレビュー画像（「Ｃ」）とが重なって原稿集約（２ｉｎ１）の画像編集のプレビュー画像が表示された場合が示されている。当該原稿集約の画像編集のプレビュー画像についてもプレビュー画像生成部１６２により生成される。具体的には、表示制御部１６６は、原稿２ページ目のプレビュー画像（「Ｂ」）と原稿３ページ目のプレビュー画像（「Ｃ」）とが重なった旨を操作受付部１６８に通知する。これにより、操作受付部１６８は、原稿集約（２ｉｎ１）の画像編集が受付けられたと判断し、画像編集部１６４に通知する。そして、画像編集部１６４は、プレビュー画像生成部１６２に通知し、画像編集によるプレビュー画像を生成する。以下、同様の手順で操作受付部１６８は、画像編集部１６４に通知する。また、画像編集部１６４は、プレビュー画像生成部１６２に通知する。
【００７９】
図７（Ｆ）を参照して、ここでは、原稿４ページ目のプレビュー画像（「Ｄ」）が重なって、原稿集約（４ｉｎ１）の画像編集のプレビュー画像が表示された後、領域ＳＡに置いていた手を離した場合が示されている。領域ＳＡに置いていた手を離した場合とは、領域ＳＡに対して非接触が検知された状態である。操作受付部１６８は、原稿集約（４ｉｎ１）の画像編集の受付けが終了したことを表示制御部１６６に通知し、この場合、停止していたプレビュー画像は右から左へスクロール移動を再開する。そして、表示部３１２からプレビュー画像が消えた後、表示制御部１６６は、画像編集部１６４に処理が終了したことを通知し、画像編集部１６４は、画像データに対して画像編集処理を実行する。この場合、画像編集部１６４は、原稿２ページ目から４ページ目の画像データと空白の画像データとに基づく４ｉｎ１の原稿集約の画像編集を実行して画像形成部４に出力する。そして、画像形成部４において記録用紙Ｓに対する印刷処理が実行される。
【００８０】
［２．２  操作パネルの操作の態様（その２）］
図８は、本実施の形態に従う操作パネル１３における操作の態様（その２）について説明する図である。
【００８１】
図８を参照して、ここでは、図７（Ｆ）の原稿４ページ目のプレビュー画像（「Ｄ」）が重なって原稿集約（４ｉｎ１）の画像編集のプレビュー画像が表示された後、領域ＳＡに置いていた手あるいは指を右方向に移動させた場合が示されている。領域ＳＡに置いていた手あるいは指を右方向に移動させた場合とは、タッチパネルのタッチ位置の座標が変化したこと、具体的には、右方向へのタッチ位置の位置座標に変化したことを検知した場合である。操作受付部１６８は、当該操作に従い原稿集約（４ｉｎ１）の画像編集の設定のリセット指示が受付けられたと判断し、表示制御部１６６および画像編集部１６４に通知する。
【００８２】
当該場合には、表示制御部１６６は、プレビュー画像を停止した状態から反対方向（左から右）に移動させる。そして、表示部３１２からプレビュー画像が消えた後、再び、原稿２ページ目のプレビュー画像（「Ｂ」）が右から左へスクロール移動する状態が再開される。なお、領域ＳＡに置いていた手に従ってＮｉｎ１の原稿集約の画像編集の設定が受け付けられていたが、当該操作（領域ＳＡに置いていた手あるいは指を右方向に移動させた場合）により当該画像編集の設定はリセットされる。操作受付部１６８は、原稿集約（Ｎｉｎ１）の画像編集の設定をリセットするように画像編集部１６４に通知する。
【００８３】
［２．３  操作パネルの操作の態様（その３）］
図９は、本実施の形態に従う操作パネル１３における操作の態様（その３）について説明する図である。
【００８４】
図９を参照して、ここでは、操作パネル１３のタッチパネルの領域ＳＣに手を置いた場合が示されている。具体的には、領域ＳＣに対して接触が検知された状態である。操作受付部１６８は、当該操作に従い画像入力を停止する指示が受付けられたと判断し、表示制御部１６６および画像編集部１６４に通知する。
【００８５】
当該場合には、表示制御部１６６は、右から左へスクロール移動するプレビュー画像の表示を停止するものとする。また、原稿画像受付部１６０に指示してスキャナ１からの画像入力を停止するものとする。これによりスキャナ１から原稿画像受付部１６０に対する画像データの入力が停止される。なお、本例においては、画像入力を停止する場合について説明したが、スキャナ１からの画像データの入力は受け付けて、プレビュー画像生成部１６２におけるプレビュー画像の生成および表示を停止するようにすることも可能である。
【００８６】
［２．４  操作パネルの操作の態様（その４）］
図１０は、本実施の形態に従う操作パネル１３における操作の態様（その４）について説明する図である。
【００８７】
図１０（Ａ）を参照して、ここでは、原稿４ページ目のプレビュー画像（「Ｄ」）が重なって原稿集約（４ｉｎ１）の画像編集のプレビュー画像が表示された後、領域ＳＡに置いていた手を離した場合が示されている。操作受付部１６８は、当該操作に従い原稿集約の画像編集の受付けが終了したことを表示制御部１６６に通知する。一方で、ここで、原稿５ページ目のプレビュー画像（「Ｅ」）がスクロール表示されている場合が示されている。この場合、停止していた原稿集約（４ｉｎ１）の画像編集のプレビュー画像の集約枚数は奇数ページ（３ページ）である。したがって、原稿集約（４ｉｎ１）の画像編集のプレビュー画像において、空白の領域が存在する。
【００８８】
図１０（Ｂ）を参照して、原稿５ページ目のプレビュー画像（「Ｅ」）がスクロール表示している場合、すなわち、原稿５ページ目の画像データが入力されている場合には、表示制御部１６６は、集約枚数が偶数となるまで原稿集約（４ｉｎ１）の画像編集のプレビュー画像は停止した状態を維持する。すなわち、次のプレビュー画像（Ｅ）がスクロールして、重なるまで待機する。
【００８９】
図１０（Ｃ）を参照して、原稿５ページ目のプレビュー画像（Ｅ）が重なって原稿集約（４ｉｎ１）の画像編集のプレビュー画像が表示される。そして、集約枚数が偶数ページ（４ページ）となったため、停止していたプレビュー画像は右から左へスクロール移動を再開する。すなわち、表示制御部１６６は、原稿５ページ目のプレビュー画像（「Ｅ」）がスクロール表示されて停止していた画像編集のプレビュー画像とが重なった旨を操作受付部１６８に通知する。これにより、操作受付部１６８は、原稿集約（４ｉｎ１）の画像編集が受付けられたと判断し、画像編集部１６４に通知する。そして、表示部３１２からプレビュー画像が消えた後、表示制御部１６６は、画像編集部１６４に処理が終了したことを通知し、画像編集部１６４は、画像データに対して原稿集約（４ｉｎ１）の画像編集処理を実行する。この場合、画像編集部１６４は、原稿２ページ目から５ページ目の画像データとに基づく４ｉｎ１の原稿集約の画像編集を実行して画像形成部４に出力する。そして、画像形成部４において記録用紙Ｓに対する印刷処理が実行される。
【００９０】
［２．５  操作パネルの操作の態様（その５）］
図１１は、本実施の形態に従う操作パネル１３における操作の態様（その５）について説明する図である。
【００９１】
図１１（Ａ）を参照して、ここでは、操作パネル１３のタッチパネルの領域ＳＢにユーザーが手を置いた場合が示されている。すなわち、この場合、領域ＳＢに対して接触が検知された状態である。当該場合において、プレビュー画像は、ユーザーが手を置いた（接触した位置の）手前の領域（例えば領域ＳＣ）で停止する。また、操作受付部１６８は、当該操作すなわち、領域ＳＢにユーザーが手を置くことにより裏面の原稿集約（Ｎｉｎ１）の画像編集の設定を受け付ける。そして、操作受付部１６８は、表示制御部１６６および画像編集部１６４に通知する。本例においては、裏面の原稿集約の画像編集として、原稿２〜４ページ目のプレビュー画像が重なって原稿集約（４ｉｎ１）の画像編集のプレビュー画像が表示されている場合が示されている。
【００９２】
図１１（Ｂ）を参照して、ここでは、原稿２〜４ページ目のプレビュー画像が重なって原稿集約（４ｉｎ１）の画像編集のプレビュー画像が表示された後、領域ＳＢに置いていた手を離した場合が示されている。領域ＳＢに置いていた手を離した場合とは、領域ＳＢに対して非接触が検知された状態である。操作受付部１６８は、裏面の原稿集約（４ｉｎ１）の画像編集の受付けが終了したことを表示制御部１６６に通知し、この場合、停止していたプレビュー画像は右から左へスクロールを再開する。そして、表示部３１２からプレビュー画像が消えた後、表示制御部１６６は、画像編集部１６４に処理が終了したことを通知し、画像編集部１６４は、画像データに対して裏面の原稿集約の画像編集処理を実行する。この場合、画像編集部１６４は、先の原稿１ページ目のプレビュー画像（「Ａ」）に対応する画像データが表面に、そして、原稿２ページ目から４ページ目の画像データとに基づく４ｉｎ１のプレビュー画像に対応する画像データが裏面となるように画像編集を実行して画像形成部４に出力する。そして、画像形成部４において記録用紙Ｓに対する両面印刷処理が実行される。
【００９３】
［２．６  操作パネルの操作の態様（その６）］
図１２は、本実施の形態に従う操作パネル１３における操作の態様（その６）について説明する図である。
【００９４】
図１２（Ａ）を参照して、ここでは、操作パネル１３のタッチパネルの領域ＳＤ１あるいはＳＤ２に対してユーザーが接触した場合が示されている。当該領域ＳＤ１あるいはＳＤ２に対してユーザーが接触することにより、操作受付部１６８は、詳細設定画面の表示の指示が受付けられたと判断して表示制御部１６６および画像編集部１６４に通知する。そして、本例の如く詳細設定画面が表示される。そして、操作パネル１３のタッチパネルの領域ＳＤ１に対してユーザーが接触した場合には、停止しているプレビュー画像に対する詳細設定画面が表示される。一方、操作パネル１３のタッチパネルの領域ＳＤ２に対してユーザーが接触した場合には、スクロール移動するプレビュー画像に対する詳細設定画面が表示される。本例においては、領域ＳＡに対してユーザーが手を置いており、原稿１ページ目のプレビュー画像（「Ａ」）が停止した状態が示されている。この場合は、上記で説明した原稿集約（Ｎｉｎ１）の画像編集の設定が受付けられる。そして、原稿２ページ目のプレビュー画像（「Ｂ」）がスクロール移動している状態が示されている。
【００９５】
図１２（Ｂ）を参照して、ユーザーが操作パネル１３に表示された詳細設定画面をタッチする場合が示されている。具体的には、詳細設定画面においては、用紙サイズや、両面印刷、原稿モード、スタンプ等を選択することが可能である。図１２（Ａ）の詳細設定画面においては、原稿モードはカラーであるが、図１２（Ｂ）の詳細設定画面においては、原稿モードはモノクロに変更されている場合が示されている。
【００９６】
本例においては、操作パネル１３のタッチパネルの領域ＳＤ２に対してユーザーが接触した場合であるものとする。すなわち、入力されているスクロール移動するプレビュー画像に対する詳細設定画面が表示されて、当該入力画像に対する詳細設定が受け付けられるものとする。操作受付部１６８は、詳細設定の受付を画像編集部１６４に通知する。
【００９７】
図１２（Ｃ）を参照して、ここでは、詳細設定画面において、原稿モードとして「モノクロ」と、画像処理として「下地」飛ばし処理が選択されて設定が受け付けられた状態である場合が示されている。
【００９８】
図１２（Ｄ）を参照して、原稿２ページ目のプレビュー画像（「Ｂ」）が原稿１ページ目のプレビュー画像（「Ａ」）と重なって原稿集約（２ｉｎ１）の画像編集のプレビュー画像が表示されている場合が示されている。なお、当該画像編集のプレビュー画像は、上記の詳細設定画面における詳細設定が受け付けられて原稿１ページ目のプレビュー画像（「Ａ」）がカラーの原稿モードであり、原稿２ページ目のプレビュー画像（「Ｂ」）がモノクロの原稿モードとして設定が受け付けられたものである。
【００９９】
そして、表示部３１２からプレビュー画像が消えた後、表示制御部１６６は、画像編集部１６４に処理が終了したことを通知し、画像編集部１６４は、画像データに対して原稿集約の画像編集処理を実行する。この場合、画像編集部１６４は、２ｉｎ１のプレビュー画像（原稿１ページ目のプレビュー画像（「Ａ」）がカラー、原稿２ページ目のプレビュー画像（「Ｂ」）がモノクロ）に対応する画像データとなるように画像編集を実行して画像形成部４に出力する。そして、画像形成部４において記録用紙Ｓに対する印刷処理が実行される。
【０１００】
［２．７  操作パネルの操作の態様（その７）］
図１３は、本実施の形態に従う操作パネル１３における操作の態様（その７）について説明する図である。
【０１０１】
本例においては、後処理編集の操作について説明する。
図１３（Ａ）を参照して、ここでは、まず、スキャナ１において、原稿１ページ目（「Ａ」）を読み込んだ場合が示されている。スキャナ１において、原稿を読み込んだ場合、原稿画像受付部１６０は１ページ目の原稿の画像データを受け付ける。そして、プレビュー画像生成部１６２は、当該画像データのプレビュー画像を生成して、表示制御部１６６に出力する。そして、表示制御部１６６は、当該プレビュー画像の表示制御（スクロール表示）を実行する。本例においては、プレビュー画像が操作パネル１３の表示部３１２に表示されて右から左へスクロールする場合が示されている。
【０１０２】
図１３（Ｂ）を参照して、ここでは、原稿１ページ目（「Ａ」）のプレビュー画像内をタッチした場合が示されている。具体的には、プレビュー画像内の左上領域をタッチした場合が示されている。プレビュー画像内をタッチすることにより、操作受付部１６８は、後処理編集であるステープル編集の設定が受け付けられたと判断する。そして、表示制御部１６６および画像編集部１６４に通知する。表示制御部１６６は、当該場合において、プレビュー画像を停止させる。すなわち、プレビュー画像内をタッチしたことにより、プレビュー画像の移動の停止と判定される。また、ここで、プレビュー画像内の左上領域をタッチしたため、ステープル編集におけるステープル位置の受付は左上位置に設定される。
【０１０３】
プレビュー画像内の上側領域をタッチした場合には、操作受付部１６８は、記録用紙の左上側へのステープル編集の設定を受け付ける。一方、プレビュー画像内の下側領域をタッチした場合には、操作受付部１６８は、記録用紙の左下側へのステープル編集が受け付けられる。操作受付部１６８は、画像編集部１６４にその旨を通知する。
【０１０４】
図１３（Ｃ）を参照して、本例においては、図１３（Ｂ）の状態において、以降の原稿複数ページ目のプレビュー画像が重なってステープル編集の受付が実行されている場合が示されている。
【０１０５】
図１３（Ｄ）を参照して、本例においては、プレビュー画像内のタッチを解除した場合が示されている。すなわち、プレビュー画像内に置いていた指の非接触が検知された状態である。操作受付部１６８は、ステープル編集の受け付けが終了したことを表示制御部１６６に通知し、この場合、停止していた複数ページで構成されるプレビュー画像は右から左へスクロール移動を再開する。そして、表示部３１２からプレビュー画像が消えた後、表示制御部１６６は、画像編集部１６４に処理が終了したことを通知し、画像編集部１６４は、画像データに対して画像編集処理を実行する。この場合、画像編集部１６４は、画像データに対してノイズ除去等の通常の画像編集処理を実行して画像形成部４に出力する。そして、画像形成部４において記録用紙Ｓに対する印刷処理が実行される。そして、印刷処理された記録用紙を後処理装置ＦＳへと搬送し、後処理装置ＦＳにおいて受け付けた左上位置に対するステープル処理が実行される。
【０１０６】
図１３（Ｅ）を参照して、ここでは、原稿１ページ目（「Ａ」）のプレビュー画像内をタッチした場合が示されている。具体的には、プレビュー画像内の左下領域をタッチした場合が示されている。ここで、プレビュー画像内の左下領域をタッチしたため、ステープル編集におけるステープル位置の受付は左下位置に設定される。以降、上記と同様の処理により後処理装置において、受け付けた左下位置に対するステープル処理が実行される。
【０１０７】
なお、これに限られず、プレビュー画像内の他の位置を指定することによりステープル位置の受付を変更するようにすることも可能である。
【０１０８】
図１４は、本実施の形態に従うサムネイル画像を説明する図である。
図１４を参照して、ここでは、原稿１ページ目〜６ページ目の画像データ（「Ａ」〜「Ｆ」）のそれぞれのサムネイル画像と出力ページとの関係が示されている。
【０１０９】
原稿１ページ目の画像データ「Ａ」は、１ページ目の記録用紙に出力された場合が示されている。原稿２ページ目の画像データ「Ｂ」は、２ページ目の記録用紙に出力された場合が示されている。原稿３ページ目の画像データ「Ｃ」は、２ページ目の記録用紙に出力された場合が示されている。したがって、Ｎｉｎ１の画像編集が実行された場合であり、この場合２ｉｎ１が実行された場合である。原稿４ページ目の画像データ「Ｄ」は、３ページ目の記録用紙に出力された場合が示されている。原稿５ページ目の画像データ「Ｅ」は、４ページ目の記録用紙に出力された場合が示されている。原稿６ページ目の画像データ「Ｆ」は、４ページ目の記録用紙に出力された場合が示されている。したがって、Ｎｉｎ１の画像編集が実行された場合であり、この場合２ｉｎ１が実行された場合である。
【０１１０】
当該サムネイル画像と出力ページとの関係が示されたリスト（本例においては、一例としてサムネイルプリント）が出力されることにより、ユーザーは原稿と出力ページとの関係を容易に理解することが可能である。
【０１１１】
［３  処理の流れの説明］
［３．１  全体フロー図］
以下、上記で説明した操作パネル１３における操作入力の受付処理のフローについて説明する。
【０１１２】
図１５は、本実施の形態に従う画像形成装置の全体の処理について説明するフロー図である。当該処理は、主に、メイン制御部１５０のＣＰＵ１５１における処理である。
【０１１３】
図１５を参照して、まず、原稿の画像入力が有ったかどうかを判断する（ステップＳ２）。具体的には、原稿画像受付部１６０がスキャナ１から画像データの入力を受け付けたか否かに基づいて判断する。
【０１１４】
ステップＳ２において、原稿の画像入力が有ったと判断した場合（ステップＳ２においてＹＥＳ）には、プレビュー画像を生成する（ステップＳ４）。具体的には、プレビュー画像生成部１６２は、原稿画像受付部１６０で受け付けた画像データに基づいてプレビュー画像を生成する。
【０１１５】
次に、プレビュー画像をスクロール表示する（ステップＳ６）。具体的には、表示制御部１６６は、操作パネルの表示部３１２に生成したプレビュー画像をスクロール表示する。本例においては、右から左にスクロール移動するように表示する。
【０１１６】
次に、操作指示が有ったかどうかを判断する（ステップＳ８）。具体的には、操作パネル１３のタッチパネルを介して操作受付部１６８に対して操作入力指示が有ったかどうかに基づいて判断する。
【０１１７】
操作指示が有ったと判断した場合（ステップＳ８においてＹＥＳ）には、画像編集あるいは後処理編集の受付処理を実行する編集モード受付処理を実行する（ステップＳ１０）。編集モード受付処理の詳細については後述する。具体的には、操作受付部１６８が、各種の画像編集あるいは後処理編集の受付処理を実行して表示制御部１６６および画像編集部１６４に出力するものとする。
【０１１８】
そして、次にプレビュー画像に対して画像編集処理を実行する（ステップＳ１２）。具体的には、画像編集部１６４で画像編集処理を実行する。編集モード受付処理で例えば原稿集約のＮｉｎ１の画像編集の受付処理がなされている場合には、当該画像編集を実行する。一方、ステップＳ８で操作指示が無いと判断した場合（ステップＳ８においてＮＯ）には、ステップＳ１２において、画像編集部１６４は、例えば、ノイズ除去等の画像編集処理のみを実行する。
【０１１９】
次に、画像を出力する（ステップＳ１４）。具体的には、画像編集部１６４は、編集した画像データを画像形成部４に出力する。そして、画像形成部４は、当該画像データを記録用紙に印刷する。
【０１２０】
次に、原稿画像の入力が終了したかどうかを判断する（ステップＳ１６）。具体的には、原稿画像受付部１６０は、画像データの入力が終了したかどうかを判断する。そして、画像編集部１６４に対して画像データの入力が終了したことを通知する。
【０１２１】
ステップＳ１６において、原稿画像の入力が終了したと判断した場合（ステップＳ１６においてＹＥＳ）には、サムネイル画像を出力する（ステップＳ１８）。具体的には、図１４で説明したようなサムネイル画像を出力する。画像編集部１６４は、画像データの入力が終了した場合に例えばＮｉｎ１の画像編集の受付処理がなされていた場合には、それに応じたサムネイル画像を編集する。そして、画像形成部４は、編集された画像データを記録用紙に印刷する。
【０１２２】
そして、処理を終了する（エンド）。
ステップＳ１６において、原稿画像の入力が終了していないと判断した場合（ステップＳ１６においてＮＯ）には、再びステップＳ２に戻り、同様の処理を繰り返す。
【０１２３】
また、ステップＳ２において、原稿画像の入力が無かったと判断した場合（ステップＳ２においてＮＯ）には、ステップＳ１６に進む。以降の処理は同様である。
【０１２４】
［３．２  編集モードの全体のフロー］
次に、編集モードの受付処理のフローについて説明する。
【０１２５】
図１６は、本実施の形態に従う編集モード受付処理について説明するフロー図である。当該フロー図は、主に操作受付部１６８での操作入力に従う表示制御部１６６および画像編集部１６４における処理である。
【０１２６】
図１６を参照して、まず、プレビュー画像の指定であるかどうかを判断する（ステップＳ２０）。具体的には、操作受付部１６８は、プレビュー画像内をタッチしたかどうかを判断する。
【０１２７】
ステップＳ２０において、プレビュー画像の指定であると判断した場合（ステップＳ２０においてＹＥＳ）には、ステープル編集モードに移行する（ステップＳ２２）。具体的には、操作受付部１６８は、表示制御部１６６および画像編集部１６４にステープル編集モードに移行した旨を指示する。そして、処理を終了する（リターン）。ステープル編集モードの詳細については後述する。
【０１２８】
一方、ステップＳ２０において、プレビュー画像の指定でないと判断した場合（ステップＳ２０においてＮＯ）には、次に、操作受付部１６８は、領域ＳＡの指定であるかどうかを判断する（ステップＳ２４）。
【０１２９】
ステップＳ２４において、領域ＳＡの指定であると判断した場合（ステップＳ２４においてＹＥＳ）には、Ｎｉｎ１編集モードに移行する（ステップＳ２６）。具体的には、操作受付部１６８は、表示制御部１６６および画像編集部１６４にＮｉｎ１編集モードに移行した旨を指示する。そして、処理を終了する（リターン）。Ｎｉｎ１編集モードの詳細については後述する。
【０１３０】
次に、ステップＳ２４において、領域ＳＡの指定でないと判断した場合（ステップＳ２４においてＮＯ）には、次に、操作受付部１６８は、領域ＳＢの指定であるかどうかを判断する（ステップＳ２８）。ステップＳ２８において、領域ＳＢの指定であると判断した場合（ステップＳ２８においてＹＥＳ）には、裏面Ｎｉｎ１編集モードに移行する（ステップＳ３０）。具体的には、操作受付部１６８は、表示制御部１６６および画像編集部１６４に裏面Ｎｉｎ１編集モードに移行した旨を指示する。そして、処理を終了する（リターン）。裏面Ｎｉｎ１編集モードの詳細については後述する。
【０１３１】
一方、ステップＳ２８において、領域ＳＢの指定でないと判断した場合（ステップＳ２８においてＮＯ）には、次に、操作受付部１６８は、領域ＳＣの指定であるかどうかを判断する（ステップＳ３２）。
【０１３２】
ステップＳ３２において、領域ＳＣの指定であると判断した場合（ステップＳ３２においてＹＥＳ）には、表示制御部１６６は、画像入力停止モードに移行する（ステップＳ３４）。具体的には、操作受付部１６８は、表示制御部１６６および画像編集部１６４に画像入力停止モードに移行した旨を指示する。そして、処理を終了する（リターン）。画像入力停止モードの詳細については後述する。
【０１３３】
ステップＳ３２において、領域ＳＣの指定でないと判断した場合（ステップＳ３２においてＮＯ）には、次に、操作受付部１６８は、領域ＳＤ１，ＳＤ２の指定であるかどうかを判断する（ステップＳ３５）。ステップＳ３５において、領域ＳＤ１，ＳＤ２の指定であると判断した場合（ステップＳ３５においてＹＥＳ）には、詳細編集モードに移行する（ステップＳ３６）。具体的には、操作受付部１６８は、表示制御部１６６および画像編集部１６４に詳細編集モードに移行した旨を指示する。そして、処理を終了する（リターン）。詳細編集モードの詳細については後述する。
【０１３４】
一方、ステップＳ３５において、領域ＳＤ１，ＳＤ２の指定でないと判断した場合（ステップＳ３５においてＮＯ）には、次に、操作受付部１６８は、特殊操作が有ったかどうかを判断する（ステップＳ３７）。ここで特殊操作とは、例えば図８において示したように、接触が検知された手あるいは指をスクロールされる画像の移動方向とは反対方向に移動させる操作である。
【０１３５】
ステップＳ３７において、特殊操作が有ったと判断した場合（ステップＳ３７においてＹＥＳ）には、再編集モードに移行する（ステップＳ３８）。具体的には、操作受付部１６８は、表示制御部１６６および画像編集部１６４に再編集モードに移行した旨を指示する。そして、処理を終了する（リターン）。再編集モードの詳細については後述する。
【０１３６】
ステップＳ３７において、特殊操作でなかったと判断した場合（ステップＳ３７においてＮＯ）には、該当する操作指示でないとして処理を終了する（リターン）。
【０１３７】
［３．３  Ｎｉｎ１編集モード］
図１７は、本実施の形態に従うＮｉｎ１編集モードの処理について説明するフロー図である。
【０１３８】
図１７を参照して、まず、プレビュー画像が停止中であるかどうかを判断する（ステップＳ４０）。具体的には、表示制御部１６６は、操作受付部１６８からの通知に従ってＮｉｎ１編集モードに移行した場合にプレビュー画像が停止中であるかどうかを判断する。
【０１３９】
ステップＳ４０において、プレビュー画像が停止中であると判断した場合（ステップＳ４０においてＹＥＳ）には、スクロールしたプレビュー画像が重なるかどうかを判断する（ステップＳ４２）。
【０１４０】
次に、Ｎｉｎ１画像編集の受付処理を実行する（ステップＳ４６）。２枚のプレビュー画像が重なる場合には、原稿集約（２ｉｎ１）の画像編集を受け付ける。具体的には、表示制御部１６６は、２枚のプレビュー画像が重なった旨を操作受付部１６８に通知する。これにより、操作受付部１６８は、原稿集約（２ｉｎ１）の画像編集を受け付けて、画像編集部１６４に通知する。
【０１４１】
そして、プレビュー画像を編集する（ステップＳ４７）。具体的には、画像編集部１６４は、プレビュー画像生成部１６２に指示し、例えば、２枚のプレビュー画像が重なる場合には、２ｉｎ１のプレビュー画像を表示する。そして、ステップＳ４８に進む。
【０１４２】
また、ステップＳ４２において、スクロールしたプレビュー画像が重ならないと判断した場合（ステップ４２においてＮＯ）にも、ステップＳ４８に進む。
【０１４３】
次に、操作指示無しを検知したかどうかを判断する（ステップＳ４８）。具体的には、タッチパネルの領域ＳＡにおいてタッチを検知していた状態から検知しない状態に移行したかどうかを判断する。すなわち、操作受付部１６８は、原稿集約（Ｎｉｎ１）の画像編集の受け付けが終了したかどうかを判断する。
【０１４４】
ステップＳ４８において、操作指示無しが検知された場合（ステップＳ４８においてＹＥＳ）すなわち、タッチパネルの領域ＳＡにおいてタッチを検知しない場合には、Ｎは偶数であるかどうかを判断する（ステップＳ５２）。すなわち、原稿集約の枚数であるＮは偶数であるかどうかを判断する。具体的には、操作受付部１６８は、表示制御部１６６に受け付けが終了したことを通知し、表示制御部１６６は、プレビュー画像の集約枚数（Ｎ）が偶数であるかどうかを判断する。
【０１４５】
ステップＳ５２において、Ｎは偶数であると判断した場合（ステップＳ５２においてＹＥＳ）には、プレビュー画像の停止を解除する（ステップＳ５３）。具体的には、表示制御部１６６は、プレビュー画像の集約枚数（Ｎ）が偶数であると判断した場合には、停止していたプレビュー画像について右から左へスクロール移動を再開する。
【０１４６】
そして、処理を終了する（リターン）。
一方、ステップＳ５２において、Ｎは偶数で無いと判断した場合（ステップＳ５２においてＮＯ）には、空白画像あるいは次の原稿画像を含めた原稿集約（Ｎｉｎ１）の画像編集の受付処理を実行する（ステップＳ５４）。具体的には、表示制御部１６６は、プレビュー画像の集約枚数（Ｎ）が偶数でないと判断した場合に、次のプレビュー画像の入力が有る場合には、停止した状態を維持する。そして、次のプレビュー画像がスクロールして重なった場合、表示制御部１６６は、操作受付部１６８に停止したプレビュー画像にスクロール表示されたプレビュー画像が重なった旨を通知する。これにより、操作受付部１６８は、原稿集約の画像編集が受け付けられたと判断し、画像編集部１６４に通知する。そして、ステップＳ５３に進む。次のプレビュー画像の入力が無い場合には、停止した状態を維持せず、停止していたプレビュー画像について右から左へスクロール移動を再開する。また、表示制御部１６６は、操作受付部１６８に集約枚数（Ｎ）が奇数である旨を通知し、操作受付部１６８は空白画像を含む原稿集約の画像編集が受け付けられたと判断し、画像編集部１６４に通知する。
【０１４７】
一方、ステップＳ４０において、プレビュー画像が停止中で無いと判断した場合（ステップＳ４０においてＮＯ）には、プレビュー画像を停止する（ステップＳ５０）。具体的には、表示制御部１６６は、プレビュー画像が停止中であるかどうかを判断し、停止中で無い場合にはプレビュー画像を停止させる。
【０１４８】
そして、「Ｉ」に進む。すなわち、図１５のステップＳ２に戻る。すなわち、次の原稿画像の処理に移る。
【０１４９】
また、ステップＳ４８において、操作指示無しを検知しない場合（ステップＳ４８においてＮＯ）においても「Ｉ」に進む。すなわち、次の原稿画像の処理に移る。
【０１５０】
そして、処理を終了する（リターン）。
図１８は、本実施の形態に従う原稿集約（Ｎｉｎ１）の画像編集の受付処理のサブルーチン処理を説明するフロー図である。
【０１５１】
当該処理は、原稿集約の枚数が所定枚数を超える場合には、印刷用紙の裏面に集約した画像データの画像編集を受け付ける処理である。
【０１５２】
図１８を参照して、Ｎは所定枚数を超えるかどうかを判断する（ステップＳ６０）。例えば、所定枚数の一例として１６枚とすることが可能である。操作受付部１６８は、プレビュー画像の集約枚数が所定枚数を超えるかどうかを判断する。
【０１５３】
ステップＳ６０において、Ｎは所定枚数を超えると判断した場合（ステップＳ６０においてＹＥＳ）には、表面に所定枚数のＮｉｎ１画像編集受付、裏面に残りのＮｉｎ１画像編集を受け付ける（ステップＳ６２）。具体的には、表示制御部１６６から操作受付部１６８への通知に従ってプレビュー画像の集約枚数が所定枚数を超えると判断した場合には、操作受付部１６８は、表面に所定枚数のＮｉｎ１画像編集が受け付けられ、裏面に残りのＮｉｎ１画像編集が受け付けられたと判断し、画像編集部１６４に通知する。
【０１５４】
そして、処理を終了する（リターン）。
ステップＳ６０において、Ｎは所定枚数を超えないと判断した場合（ステップＳ６０においてＮＯ）には、表面にＮｉｎ１の画像編集を受け付ける（ステップＳ６４）。表示制御部１６６から操作受付部１６８への通知に従ってプレビュー画像の集約枚数が所定枚数を超えないと判断した場合には、操作受付部１６８は、表面に所定枚数のＮｉｎ１画像編集が受け付けられたと判断し、画像編集部１６４に通知する。
【０１５５】
そして、処理を終了する（リターン）。
なお、例えば表面および裏面ともに所定枚数を越えるような場合には、Ｎｉｎ１の画像編集の受付処理を強制的に終了するようにしても良い。
【０１５６】
当該処理により図７で説明した原稿集約の画像編集を受け付けることが可能となる。
［３．３Ａ  裏面Ｎｉｎ１編集モード］
裏面Ｎｉｎ１編集モードは、基本的には、画像編集する面が裏面である点が異なるのみであり、基本的には、図１７で説明したＮｉｎ１編集モードと同様であるのでその詳細な説明は繰り返さない。
【０１５７】
なお、裏面の原稿集約の枚数が所定枚数を超える場合には、強制的にＮｉｎ１の画像編集の受付処理を終了するものとする。
【０１５８】
当該処理により図１１（Ａ）で説明した裏面の原稿集約の画像編集を受け付けることが可能となる。
【０１５９】
［３．４  画像入力停止モード］
図１９は、本実施の形態に従う画像入力停止モードの処理について説明するフロー図である。
【０１６０】
図１９を参照して、まず、新たなプレビュー画像のスクロール表示を停止する（ステップＳ７０）。表示制御部１６６は、操作受付部１６８からの通知に従って画像入力停止モードに移行した場合に操作パネル１３内におけるプレビュー画像のスクロール表示を停止する。
【０１６１】
次に、画像入力の停止を指示する（ステップＳ７２）。表示制御部１６６は、原稿画像受付部１６０に指示して画像入力の受付を停止するように指示する。
【０１６２】
次に、操作指示無しを検知したかどうかを判断する（ステップＳ７４）。具体的には、タッチパネルの領域ＳＣにおいてタッチを検知していた状態から検知しない状態に移行したかどうかを判断する。具体的には、操作受付部１６８は、画像入力の停止の受け付けが終了したかどうかを判断する。
【０１６３】
ステップＳ７４において、操作指示無しを検知した場合（ステップＳ７４においてＹＥＳ）には、停止を解除する（ステップＳ７６）。具体的には、操作受付部１６８は、画像入力の停止の受け付けが終了した場合には、その旨を表示制御部１６６に通知する。そして、表示制御部１６６は、操作パネル１３内におけるプレビュー画像のスクロール表示を再開する。また、表示制御部１６６は、原稿画像受付部１６０において画像入力の受付を停止していた状態を解除する。
【０１６４】
そして、処理を終了する（リターン）。
一方、ステップＳ７４において、操作指示無しを検知しない場合（ステップＳ７４においてＮＯ）には、ステップＳ７０に戻り、停止状態を維持する。
【０１６５】
当該処理により図９で説明した画像入力の停止を受け付けることが可能となる。
［３．５  詳細編集モード］
図２０は、本実施の形態に従う詳細編集モードの処理を説明するフロー図である。
【０１６６】
図２０を参照して、まず、詳細設定画面を表示する（ステップＳ８０）。表示制御部１６６は、操作受付部１６８からの通知に従って詳細編集モードに移行した場合に操作パネル１３内のタッチパネルの領域ＳＤ１においてタッチを検知した場合には、停止しているプレビュー画像に対する詳細設定画面（図１２）を表示する。
【０１６７】
一方、表示制御部１６６は、操作受付部１６８からの通知に従って詳細編集モードに移行した場合に操作パネル１３内のタッチパネルの領域ＳＤ２においてタッチを検知した場合には、スクロールしているプレビュー画像に対する詳細設定画面を表示する。
【０１６８】
次に、詳細設定画面について設定入力の指示が有ったかどうかを判断する（ステップＳ８２）。具体的には、操作受付部１６８は、設定入力の指示が有るかどうかを判断する。
【０１６９】
ステップＳ８２において、詳細設定画面について設定入力の指示が有ったと判断した場合（ステップＳ８２においてＹＥＳ）には、詳細設定入力を受け付ける（ステップＳ８４）。操作受付部１６８は、詳細設定入力を受け付けて画像編集部１６４に通知する。
【０１７０】
そして、処理を終了する（リターン）。
一方、ステップＳ８２において、詳細設定画面について設定入力の指示が無かったと判断した場合（ステップＳ８２においてＮＯ）には、詳細設定入力を受け付けることなく処理を終了する（リターン）。
【０１７１】
なお、表示制御部１６６は、タッチパネルの領域ＳＤ２をタッチして詳細設定画面を表示した際にはスクロールしているプレビュー画像を所定期間停止させるようにしても良いし、あるいは、領域ＳＤ１をタッチして詳細設定画面を表示した際には、新たなスクロールするプレビュー画像の表示を所定期間遅らせるようにしても良い。
【０１７２】
当該処理により、図１２で説明したように、画像編集のプレビュー画像に対する詳細設定が受け付けられる。
【０１７３】
［３．６  再編集モード］
図２１は、本実施の形態に従う再編集モードの処理を説明するフロー図である。
【０１７４】
図２１を参照して、まず、入力の受付をリセットする（ステップＳ９０）。具体的には、表示制御部１６６は、操作受付部１６８からの通知に従って再編集モードに移行した場合にプレビュー画像を停止した状態から反対方向（左から右）に移動させる。また、操作受付部１６８は、画像編集部１６４に通知し、画像編集の設定をリセットする。
【０１７５】
次に、最初のプレビュー画像の表示を再開する（ステップＳ９２）。表示制御部１６６は、表示部３１２からプレビュー画像が消えた後、再び、最初のプレビュー画像を右から左へスクロール移動する表示処理を実行する。
【０１７６】
そして、処理を終了する（リターン）。
当該処理により、図８で説明した再編集の画像編集を受け付けることが可能となる。
【０１７７】
［３．７  ステープル編集モード］
図２２は、本実施の形態に従うステーブル編集モードの処理について説明するフロー図である。
【０１７８】
図２２を参照して、まず、プレビュー画像が停止中であるかどうかを判断する（ステップＳ１００）。具体的には、表示制御部１６６は、操作受付部１６８からの通知に従ってステープル編集モードに移行した場合にプレビュー画像が停止中であるかどうかを判断する。
【０１７９】
ステップＳ１００において、プレビュー画像が停止中であると判断した場合（ステップＳ１００においてＹＥＳ）には、スクロールしたプレビュー画像が重なるかどうかを判断する（ステップＳ１０２）。
【０１８０】
ステップＳ１０２において、スクロールしたプレビュー画像が重なると判断した場合（ステップＳ１０２においてＹＥＳ）には、ステープル位置の判定処理を実行する（ステップＳ１０４）。ステープル位置の判定処理については後述する。
【０１８１】
次に、ステープル編集の受付処理を実行する（ステップＳ１０８）。具体的には、表示制御部１６６は、プレビュー画像が重なった旨を操作受付部１６８に通知する。これにより、操作受付部１６８は、ステープル編集を受け付けて、画像編集部１６４に通知する。
【０１８２】
次に、プレビュー画像を編集する（ステップＳ１０９）。具体的には、画像編集部１６４は、プレビュー画像生成部１６２に指示し、受け付けたステープル編集の位置に基づいてステープルする場合のプレビュー画像を表示する。そして、ステップＳ１１０に進む。
【０１８３】
また、ステップＳ１０２において、スクロールしたプレビュー画像が重ならないと判断した場合（ステップ１０２においてＮＯ）には、ステップＳ１１０に進む。
【０１８４】
次に、操作指示無しを検知したかどうかを判断する（ステップＳ１１０）。具体的には、プレビュー画像内においてタッチを検知していた状態から検知しない状態に移行したかどうかを判断する。すなわち、操作受付部１６８は、ステープル編集の受け付けが終了したかどうかを判断する。
【０１８５】
ステップＳ１１０において、操作指示無しが検知された場合（ステップＳ１１０においてＹＥＳ）には、プレビュー画像の停止を解除する（ステップＳ１１４）。具体的には、操作受付部１６８は、表示制御部１６６に受け付けが終了したことを通知し、表示制御部１６６は、停止していたプレビュー画像について右から左へスクロール移動を再開する。すなわち、再び、プレビュー画像は、スクロール移動する。そして、画面から消えた後、画像編集処理が実行されて、印刷処理が実行された後、後処理装置においてステープル編集が実行される。
【０１８６】
そして、処理を終了する（リターン）。
一方、ステップＳ１００において、プレビュー画像が停止中で無いと判断した場合（ステップＳ１００においてＮＯ）には、プレビュー画像を停止する（ステップＳ１１２）。具体的には、表示制御部１６６は、プレビュー画像が停止中であるかどうかを判断し、停止中で無い場合にはプレビュー画像を停止させる。
【０１８７】
そして、「Ｉ」に進む。すなわち、図１５のステップＳ２に戻る。
また、ステップＳ１１０おいて、操作指示無しを検知しない場合（ステップＳ１１０においてＮＯ）においても「Ｉ」に進む。すなわち、次の原稿画像の処理に移る。
【０１８８】
図２３は、ステープル位置の判定処理について説明するフロー図である。
図２３を参照して、まず、プレビュー画像の上領域を指定したかどうかを判断する（ステップＳ１２０）。具体的には、操作受付部１６８は、ステープル編集モードに移行した場合にプレビュー画像の上領域の指定が有るかどうかを判断する。
【０１８９】
ステップＳ１２０において、プレビュー画像の上領域を指定したと判断した場合（ステップＳ１２０においてＹＥＳ）には、ステープルを上の位置に特定する（ステップＳ１２２）。具体的には、操作受付部１６８は、ステープルの左上位置を受け付けて、画像編集部１６４に通知する。なお、画像編集部１６４においては、当該ステープルの位置は画像編集と関係はないが、後段の後処理装置ＦＳにおけるステープル処理を実行可能とするために当該操作受付部１６８から通知されたステープルの左上位置を特定する情報を含めて画像形成部に出力する。そして、処理を終了する（リターン）。
【０１９０】
一方、ステップＳ１２０において、プレビュー画像の上領域を指定していないと判断した場合（ステップＳ１２０においてＮＯ）には、ステープルを下の位置に特定する（ステップＳ１２４）。具体的には、操作受付部１６８は、ステープルの左下位置を受け付けて、画像編集部１６４に通知する。なお、画像編集部１６４においては、当該ステープルの位置は画像編集と関係はないが、後段の後処理装置ＦＳにおけるステープル処理を実行可能とするために当該操作受付部１６８から通知されたステープルの左下位置を特定する情報を含めて画像形成部に出力する。
【０１９１】
そして、処理を終了する（リターン）。
当該ステープルの位置は、後処理装置ＦＳのステープル処理部７１におけるステープル処理により予め規定されている位置である。
【０１９２】
当該処理により図１３で説明した後処理編集であるステープル編集を受け付けることが可能となる。
【０１９３】
上記で説明したように、本実施の形態においては、操作パネルにタッチした領域に従って画像編集を簡易に設定することが可能である。
【０１９４】
また、操作パネルに表示されるプレビュー画像にタッチすることにより後処理編集を簡易に設定することが可能である。
【０１９５】
［４．  変形例１］
本変形例１においては、ステープル編集の受付と、Ｎｉｎ１の原稿集約の画像編集の受付とを実行する場合について説明する。
【０１９６】
図２４は、本実施の形態の変形例に従う操作パネル１３における操作の態様について説明する図である。
【０１９７】
図２４（Ａ）を参照して、ここでは、まず、スキャナ１において、原稿１ページ目（「Ａ」）を読み込んだ場合が示されている。スキャナ１において、原稿を読み込んだ場合、原稿画像受付部１６０は１ページ目の原稿の画像データを受け付ける。そして、プレビュー画像生成部１６２は、当該画像データのプレビュー画像を生成して、表示制御部１６６に出力する。そして、表示制御部１６６は、当該プレビュー画像の表示制御（スクロール表示）を実行する。本例においては、プレビュー画像が操作パネル１３の表示部３１２に表示されて右から左へスクロール移動する場合が示されている。
【０１９８】
図２４（Ｂ）を参照して、ここでは、操作パネル１３のプレビュー画像内にユーザーが手を置いた場合が示されている。すなわち、この場合、上記したようにステープル編集が受け付けられる。さらに、ユーザーは、プレビュー画像とは別に領域ＳＡに対して接触した状態が示されている。当該場合において、領域ＳＡにユーザーが手を置くことにより上記したように原稿集約（Ｎｉｎ１）の画像編集の設定が受け付けられる。
【０１９９】
図２４（Ｃ）を参照して、ここでは、原稿１ページ目のプレビュー画像（「Ａ」）と、２ページ目のプレビュー画像（「Ｂ」）とが重なって原稿集約（２ｉｎ１）の画像編集のプレビュー画像が表示された場合が示されている。当該画像編集のプレビュー画像についてもプレビュー画像生成部１６２が生成するものとする。そして、次に、領域ＳＡの接触を解除する。
【０２００】
図２４（Ｄ）を参照して、ここでは、原稿３ページ目のプレビュー画像（「Ｃ」）と、原稿４ページ目のプレビュー画像（「Ｄ」）とがそれぞれ原稿集約（２ｉｎ１）の画像編集のプレビュー画像と重なってステープル編集処理が受け付けられた場合が示されている。ここでは、領域ＳＡの接触は解除されているがプレビュー画像内にはユーザーが接触した状態を維持している場合が示されている。したがって、領域ＳＡの接触は解除されているため上記したように原稿集約（Ｎｉｎ１）の画像編集の設定の受付は終了している。
【０２０１】
そして、プレビュー画像内からユーザーが手を離した場合に、停止していたプレビュー画像は右から左へスクロール移動を再開する。そして、表示部３１２からプレビュー画像が消えた後、画像編集部１６４は、画像データに対して画像編集処理を実行する。この場合、原稿１，２ページ目は２ｉｎ１画像編集処理が実行される。また、３ページ、４ページ目の画像データは等倍画像としてステープル編集処理が実行される。
【０２０２】
図２５は、本実施の形態の変形例に従うステーブル編集モードの処理について説明するフロー図である。
【０２０３】
図２５を参照して、まず、プレビュー画像が停止中であるかどうかを判断する（ステップＳ１００）。具体的には、表示制御部１６６は、操作受付部１６８からの通知に従ってステープル編集モードに移行した場合にプレビュー画像が停止中であるかどうかを判断する。
【０２０４】
ステップＳ１００において、プレビュー画像が停止中であると判断した場合（ステップＳ１００においてＹＥＳ）には、スクロールしたプレビュー画像が重なるかどうかを判断する（ステップＳ１０２）。
【０２０５】
ステップＳ１０２において、スクロールしたプレビュー画像が重なると判断した場合（ステップＳ１０２においてＹＥＳ）には、ステープル位置の判定処理を実行する（ステップＳ１０４）。ステープル位置の判定処理については、図２３で説明したのと同様であるのでその詳細な説明は繰り返さない。
【０２０６】
次に、ステープル編集の受付処理を実行する（ステップＳ１０８）。具体的には、表示制御部１６６は、プレビュー画像が重なった旨を操作受付部１６８に通知する。これにより、操作受付部１６８は、ステープル編集を受け付けて、画像編集部１６４に通知する。ステープル位置の判定処理の判定結果に基づいてステープル編集の受付処理を実行する。
【０２０７】
次に、領域ＳＡの指定が有るかどうかを判断する（ステップＳ１３０）。具体的には、領域ＳＡに対してタッチを検知した状態か否かを判断する。具体的には、操作受付部１６８は、原稿集約（Ｎｉｎ１）の画像編集を受け付けたかどうかを判断する。
【０２０８】
ステップＳ１３０において、領域ＳＡの指定があると判断した場合（ステップＳ１３０においてＹＥＳ）には、原稿集約（Ｎｉｎ１）の画像の編集を受け付ける（ステップＳ１３２）。操作受付部１６８は、表示制御部１６６および画像編集部１６４に原稿集約の画像編集を受け付けた旨を通知する。
【０２０９】
そして、プレビュー画像を編集する（ステップＳ１３４）。具体的には、画像編集部１６４は、プレビュー画像生成部１６２に指示し、例えば、２枚のプレビュー画像が重なる場合には、２ｉｎ１のプレビュー画像を表示する。さらに、受け付けたステープル編集の位置に基づいてステープルする場合のプレビュー画像を表示する。そして、ステップＳ１１０＃に進む。
【０２１０】
また、ステップＳ１０２において、スクロールしたプレビュー画像が重ならないと判断した場合（ステップ１０２においてＮＯ）には、ステップＳ１１０＃に進む。
【０２１１】
そして、次にプレビュー画像の指定が無いかどうかを検知する（ステップＳ１１０＃）。具体的には、プレビュー画像内においてタッチを検知していた状態から検知しない状態に移行したかどうかを判断する。すなわち、操作受付部１６８は、ステープル編集の受け付けが終了したかどうかを判断する。
【０２１２】
ステップＳ１１０＃において、プレビュー画像の指定が無いと判断した場合（ステップＳ１１０＃においてＹＥＳ）には、プレビュー画像の停止を解除する（ステップＳ１１４）。具体的には、操作受付部１６８は、表示制御部１６６に受け付けが終了したことを通知し、表示制御部１６６は、停止していたプレビュー画像について右から左へスクロール移動を再開する。そして、画面から消えた後、画像編集処理が実行されて、印刷処理が実行された後、後処理装置においてステープル編集が実行される。そして、処理を終了する（リターン）。
【０２１３】
一方、ステップＳ１００において、プレビュー画像が停止中で無いと判断した場合（ステップＳ１００においてＮＯ）には、プレビュー画像を停止する（ステップＳ１１２）。具体的には、プレビュー画像が停止中であるかどうかを判断し、停止中で無い場合にはプレビュー画像を停止させる。
【０２１４】
そして、「Ｉ」に進む。すなわち、図１５のステップＳ２に戻る。
また、ステップＳ１１０＃において、操作指示無しを検知しない場合（ステップＳ１１０＃においてＮＯ）においても「Ｉ」に進む。すなわち、次の原稿画像の処理に移る。
【０２１５】
当該処理により図２４で説明した後処理編集であるステープル編集とともに原稿集約の画像編集を受け付けることが可能となる。
【０２１６】
上記で説明したように、本実施の形態の変形例においては、操作パネルに表示されるプレビュー画像にタッチすることにより後処理編集を簡易に設定することが可能であるとともに、所定の領域にタッチすることにより原稿集約の画像編集とも簡易に組み合わせることが可能である。
【０２１７】
［５．  変形例２］
本変形例２においては、接触する指の本数でＮｉｎ１の原稿集約の画像編集の受付処理を実行する場合について説明する。
【０２１８】
図２６は、本実施の形態の変形例２に従う編集モード受付処理について説明するフロー図である。
【０２１９】
図２６を参照して、まず、接触本数を判定する（ステップＳ１２０）。具体的には、操作受付部１６８は、操作パネル１３のタッチパネルにおいて何箇所のタッチを検出しているかを判定する。
【０２２０】
次に、２本以上であるかどうかを判断する（ステップＳ１２２）。具体的には、操作パネル１３のタッチパネルにおいて２箇所以上のタッチを検出しているかどうかを判断する。
【０２２１】
ステップＳ１２２において、２本以上であると判断した場合（ステップＳ１２２においてＹＥＳ）には、Ｎｉｎ１編集モードに移行する（ステップＳ１２４）。具体的には、操作受付部１６８は、表示制御部１６６および画像編集部１６４にＮｉｎ１編集モードに移行した旨を指示する。Ｎｉｎ１編集モードについては後述する。
【０２２２】
そして、処理を終了する（リターン）。
ステップＳ１２２において、２本以上でないと判断した場合（ステップＳ１２２においてＮＯ）には、処理を終了する（リターン）。
【０２２３】
図２７は、本実施の形態の変形例２に従うＮｉｎ１編集モードについて説明するフロー図である。
【０２２４】
図２７を参照して、まず、プレビュー画像が停止中であるかどうかを判断する（ステップＳ４０）。具体的には、表示制御部１６６は、操作受付部１６８からの通知に従ってＮｉｎ１編集モードに移行した場合にプレビュー画像が停止中であるかどうかを判断する。
【０２２５】
ステップＳ４０において、プレビュー画像が停止中であると判断した場合（ステップＳ４０においてＹＥＳ）には、スクロールしたプレビュー画像が重なるかどうかを判断する（ステップＳ４２）。ステップＳ４２において、スクロールしたプレビュー画像が重なると判断した場合（ステップＳ４２においてＹＥＳ）には、Ｎｉｎ１の原稿集約の画像編集の受付処理を実行する（ステップＳ４６）。２枚のプレビュー画像が重なる場合には、原稿集約（２ｉｎ１）の画像編集を受け付ける。具体的には、表示制御部１６６は、２枚のプレビュー画像が重なった旨を操作受付部１６８に通知する。これにより、操作受付部１６８は、原稿集約（２ｉｎ１）の画像編集を受け付けて、画像編集部１６４に通知する。
【０２２６】
そして、プレビュー画像を編集する（ステップＳ４７）。具体的には、画像編集部１６４は、プレビュー画像生成部１６２に指示し、例えば、２枚のプレビュー画像が重なる場合には、２ｉｎ１のプレビュー画像を表示する。そして、ステップＳ４９に進む。
【０２２７】
また、ステップＳ４２において、スクロールしたプレビュー画像が重ならないと判断した場合（ステップ４２においてＮＯ）にも、ステップＳ４９に進む。
【０２２８】
次に、Ｎ＝接触本数であるかどうかを判断する（ステップＳ４９）。例えば、接触本数が２本である場合には、２ｉｎ１の画像編集の受付処理が実行されたかどうかを判断する。操作受付部１６８は、接触本数を判断し、接触本数に従う画像編集の受付処理が実行されたかどうかを判断する。
【０２２９】
ステップＳ４９において、Ｎ＝接触本数であると判断した場合（ステップＳ４９においてＹＥＳ）には、プレビュー画像の停止を解除する（ステップＳ５３）。具体的には、操作受付部１６８は、接触本数に従う画像編集の受付処理が実行されたと判断した場合には、表示制御部１６６に受け付けが終了したことを通知し、表示制御部１６６は、停止していたプレビュー画像について右から左へスクロール移動を再開する。
【０２３０】
そして、処理を終了する（リターン）。すなわち、２ｉｎ１の画像編集されたプレビュー画像がスクロールし、操作パネル１３から消えた後、画像編集部１６４において当該画像編集が実行されて記録用紙が印刷される。
【０２３１】
一方、ステップＳ４０において、プレビュー画像が停止中で無いと判断した場合（ステップＳ４０においてＮＯ）には、プレビュー画像を停止する（ステップＳ５０）。具体的には、表示制御部１６６は、プレビュー画像が停止中であるかどうかを判断し、停止中で無い場合にはプレビュー画像を停止させる。
【０２３２】
そして、「Ｉ」に進む。すなわち、図１５のステップＳ２に戻る。すなわち、次の原稿画像の処理に移る。
【０２３３】
また、ステップＳ４９において、Ｎ＝接触本数でないと判断した場合（ステップＳ４９においてＮＯ）には、「Ｉ」に進む。すなわち、図１５のステップＳ２に戻る。
【０２３４】
そして、Ｎ＝接触本数となるまで当該処理を繰り返す。
当該処理により、タッチパネルのタッチした指の本数に従って、Ｎｉｎ１の原稿集約の画像編集を設定することができる。
【０２３５】
上記で説明したように、本実施の形態の変形例においては、操作パネルにタッチした指の本数に従ってＮｉｎ１の原稿集約の画像編集を簡易に設定することが可能である。
【０２３６】
なお、画像処理装置は、画像形成システムに含まれるものに限られず、プリンター装置あるいはファクシミリ装置等であってもよい。
【０２３７】
なお、コンピュータを機能させて上述のフローで説明したような制御を実行させるプログラムを提供することも可能である。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。
【０２３８】
なお、プログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、プログラムに含まれ得る。
【０２３９】
また、プログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、プログラムに含まれ得る。
【０２４０】
提供されるプログラム製品は、ハードディスクなどのプログラム格納部にインストールされて実行される。なお、プログラム製品は、プログラム自体と、プログラムが記録された記録媒体とを含む。
【０２４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２４２】
１  スキャナー、１Ａ  イメージセンサー、４  画像形成部、４Ａ  感光体ドラム、４Ｂ  転写手段、５  給紙カセット、６  給紙ローラー、７  定着装置、８  排紙ローラー、８Ａ  搬送路切り替え板、９  自動両面コピー給紙部、１０  自動原稿搬送装置、１３  操作パネル、１４  音声出力部、１５  外部機器インターフェイス、１６，８７  通信インターフェイス、１７  ネットワーク、４０  パンチ処理部、７１  ステープル処理部、７２  折り処理部、８０  排紙部、８１  エレベートトレイ。
【図１】
2013219758.tif 000003
【図２】
2013219758.tif 000004
【図３】
2013219758.tif 000005
【図４】
2013219758.tif 000006
【図５】
2013219758.tif 000007
【図６】
2013219758.tif 000008
【図７】
2013219758.tif 000009
【図８】
2013219758.tif 000010
【図９】
2013219758.tif 000011
【図１０】
2013219758.tif 000012
【図１１】
2013219758.tif 000013
【図１２】
2013219758.tif 000014
【図１３】
2013219758.tif 000015
【図１４】
2013219758.tif 000016
【図１５】
2013219758.tif 000017
【図１６】
2013219758.tif 000018
【図１７】
2013219758.tif 000019
【図１８】
2013219758.tif 000020
【図１９】
2013219758.tif 000021
【図２０】
2013219758.tif 000022
【図２１】
2013219758.tif 000023
【図２２】
2013219758.tif 000024
【図２３】
2013219758.tif 000025
【図２４】
2013219758.tif 000026
【図２５】
2013219758.tif 000027
【図２６】
2013219758.tif 000028
【図２７】
2013219758.tif 000029